(57)【要約】【課題】金属パイプの表面にプラズマ溶射して電気伝導性のセラミックス層による電熱ヒーターを形成した発熱パイプを提供する。【解決手段】金属製パイプ２の表面に電気絶縁性セラミックス層からなる第１溶射層３と、この第１溶射層３の上に電気伝導性セラミックス層からなる第２溶射層４を積層形成し、この第２溶射層４に間隔をおいて電極５、５ａを固定し、この電極５、５ａ間に通電して前記第２溶射層４を発熱させるように構成した発熱パイプ。【選択図】      図１
2005322594.tif 000002
【特許請求の範囲】
【請求項１】
金属製パイプの表面に電気絶縁性セラミックス層からなる第１溶射層と、この第１溶射層の上に電気伝導性セラミックス層からなる第２溶射層を積層形成し、この第２溶射層に間隔をおいて電極を固定し、この電極間に通電して前記第２溶射層を発熱させるように構成したことを特徴とする発熱パイプ。
【請求項２】
金属パイプの表面に電気絶縁性セラミックス層からなる第１溶射層と、この第１溶射層の上に電気伝導性セラミックス層からなる第２溶射層を積層形成し、前記金属パイプの温度上昇に伴う熱膨脹により前記第２溶射層の電気抵抗に変化を与えるようにしたことを特徴とする請求項１記載の発熱パイプ。
【請求項３】
前記金属パイプは、アルミニウム製であり、前記第１溶射層はムライト系セラミックスを主成分とする層であり、更に、第２溶射層は酸化チタンを主成分とする層であることを特徴とする請求項１あるいは２記載のは発熱パイプ。
【請求項４】
前記第１溶射層の厚さは７０〜２５０μ、第２溶射層の厚さ２０〜１００μであることを特徴とする請求項２記載の発熱パイプ。
【請求項５】
表面に氷結が発生する熱交換器の熱交換用パイプの表面に、電気絶縁性のセラミックス層からなる第１溶射層と電気伝導性セラミックス層からなる第２溶射層を積層形成し、前記第２溶射層に通電して熱交換用パイプを加熱するように構成したことを特徴とする冷凍機用熱交換器。
【請求項６】
前記冷凍機用熱交換器は、冷凍倉庫に設置されることを特徴とする請求項５記載の冷凍機用熱交換器。
【発明の詳細な説明】
【技術分野】
【０００１】
本発明は、金属パイプの表面に電気絶縁性セラミックスのプラズマ溶射層と、この溶射層の上に電気伝導性セラミックスのプラズマ溶射層を積層形成し、この電気伝導性セラミックス溶射層の電気抵抗による発熱特性を利用した発熱パイプ及びこの発熱パイプを利用した機器を提供するものである。
【背景技術】
【０００２】
１）電熱ヒーター
面状あるいは線状の電熱ヒーターは、各種の魚焼器や炒め物などをする熱板などの調理器、また、局部加熱する小型の暖房装置などに使用されている。この用途に使用される電熱式ヒーターは、ニクロム線を封入したシーズヒーターや耐熱ガラスパイプの内部にニクロム線を収容したものが周知である。
【０００３】
２）冷凍倉庫用冷凍機の熱交換器
冷凍機で冷却された冷媒で冷却する冷凍倉庫の内部には水分を多量に含む魚類や肉類や野菜類などの食品が収納されている場合が多く、そのためにその食品を低温で保管している間に多量の水分が蒸発する。その結果、冷凍機の熱交換器のパイプダクトの内面に水分が付着凍結して熱交換が困難となり、冷却能力を失うことになる（例えば、特許文献１参照）。
【０００４】
３）電気抵抗変化の大きい電熱ヒーター
近時、冬季の室温調節に室内空気を乱さない利点が認められて床暖房装置が広く実施されている。これには電気暖房式と温水暖房式とがあるが、前者は温度制御が容易であることとメンテナンスが簡単である点に優れているが、電気代がやや高くなるという問題がある。これに対して後者はガス代が安いことから稼働コストが低という特徴があるが、ボイラや床構造内の配管の寿命が８年程度と短く、従って、短期間にボイラや温水パイプの交換などを行なわなけれぱならない点が欠点である。
【０００５】
この電気式床暖房装置に使用される耐久性に優れ、安全性の高い発熱体として、熱可塑性樹脂とカーボン微粉末を使用した面状発熱ヒーターであって、温度上昇に応じて抵抗が大きく変化する特性（ＰＴＣ特性）を持ったものが提案されている（例えば、特許文献２参照）。
【特許文献１】実開平５−４７７３０号公報
【特許文献２】特公昭５５−３１５９８号公報
【発明の開示】
【発明が解決しようとする課題】
【０００６】
１）電熱ヒーター
各種の電熱ヒーターは、ニクロム線の電気抵抗を利用したものであるが、ニクロム線の電気抵抗は温度の上昇と共に上昇するが、この上昇の勾配は一定で変化率が小さいもので、従って、ヒーターの温度が上昇すると、更に上昇する特性を持っており、最後にはニクロム線が溶断するまで温度上昇する危険性がある。そこでこのような事故を防止するために温度ヒューズやサーモスタットなどの安全装置を設ける必要があった。
【０００７】
電熱ヒーターを安全に作動させるためには、温度が特定の範囲より上昇すると、急激に抵抗値が増加し、その結果、自動的に電流が抑制される、いわゆる正の温度特性（ＰＴＣ特性）を持っていることが好ましいが、通常の電熱ヒーターにはこのような特性を持つものはなく、従って、電熱加熱ヒーターは温度ヒューズやサーモスタットなどの安全装置が必要であったのである。
【０００８】
２）冷凍倉庫の冷凍機の熱交換器
冷凍倉庫においては保管している食料品より多量の水分が発生するので、この倉庫を冷却するための冷凍機やダクトの冷却されている部分に、室内の空気中の水分が付着氷結して伝熱不良や通風不良を発生する。これを解消する方法としては、例えば、「ドーワテクノ工業株式会社」（福岡市）の“カタログ”あるいは平成１６年２月１９日の空調タイムスの記事などに記載されているように、冷凍機を所定時間、例えば１２時間作動させ、次の１２時間は冷凍機を休止する、「作動〜休止運転〜作動」交互運転ないし間歇運転が実施されている。
【０００９】
このように冷凍機が作動・停止を繰り返すことにより冷凍機の稼働率は１／２以下にならざるを得ない。更に、この交互運転を実施するために、多数の冷凍機を設置する必要があり、極めて効率が悪い冷凍倉庫とならざるを得なかった。
【００１０】
また、前記特許文献１に記載された技術は、通常の冷房温度より高い温度で氷結状態を保持する蓄熱材の状態変化するカプセル状の蓄熱媒体を使用するものであるが、これも冷凍機の熱交換器の氷結問題を解消する方法を提案するものではない。
【００１１】
更に、本発明者は、冷凍庫用冷風装置の氷結問題を解消する方法として、冷風噴出筒の周囲に面状電熱ヒーターを設けた装置を提案しているが、しかし、この発明は、前記熱交換器の伝熱管の氷結問題を解消する方法を提案するものではない（特願２００３−３３７３１号）。
【００１２】
３）電気抵抗変化の大きい電熱ヒーター
床暖房装置は電気暖房式と温水暖房式のものが提案実施されているが、電気暖房式のものとしては、前記特許文献２に記載されているように熱可塑性合成樹脂とカーボン微粉末を使用した面状発熱体（面状発熱ヒーター）が提案されている。
【００１３】
この面状発熱ヒーターは、所定の温度において電気抵抗が急上昇する、いわゆる正の温度特性（ＰＴＣ）を持っており、床暖房装置に適した安全な面状発熱ヒーターとしてかなり以前から有効に使用されている。しかしながら、この面状発熱ヒーターはシート状であっても、発熱部の幅が２０ｃｍ以上で、２〜３ｍｍ程度の厚さがあり、従って、取り扱い性が悪くて床暖房装置などに使用することができても、小型の装置の加熱手段として組み込むことができないものである。
【課題を解決するための手段】
【００１４】
前記課題を解決するための本発明に係る電気抵抗発熱体と冷凍機用熱交換器は次のように構成されている。
【００１５】
１）本発明に係る発熱パイプは、金属製パイプの表面に電気絶縁性セラミックス層からなる第１溶射層と、この第１溶射層の上に電気伝導性セラミックス層からなる第２溶射層を積層状態で形成し、この第２溶射層に、間隔をおいて電極を固定し、この電極間に通電して前記第２溶射層を発熱するように構成したことを特徴としている。
【００１６】
２）本発明に係る発熱パイプは、金属パイプの表面に電気絶縁性セラミックス層からなる第１溶射層と、この第１溶射層の上に電気伝導性セラミックス層からなる第２溶射層を積層形成し、前記金属パイプの熱膨脹により前記第２溶射層の電気抵抗に変化を与えるようにしたことを特徴としている。
【００１７】
３）本発明に係る発熱パイプを構成する金属パイプとしてアルミニウムパイプを使用し、前記第１溶射層にムライト系セラミックスを主成分とする層を形成し、更に、第２溶射層として酸化チタンを主成分とする層を形成したことを特徴としている。
【００１８】
４）本発明に係る発熱パイプの表面に形成される前記第１溶射層の厚さは７０〜２００μ、第２溶射層の厚さ２０〜１００μであることを特徴としている。
【００１９】
５）本発明に係る発熱パイプを応用した冷凍機用熱交換器は、表面に氷結が発生する熱交換器の熱交換用パイプの表面に電気絶縁性のセラミックス層からなる第１溶射層と、電気伝導性セラミックス層からなる第２溶射層を積層形成し、前記第２溶射層に通電して熱交換用パイプを加熱するように構成したことを特徴としている。
【００２０】
６）また、前記冷凍機用熱交換器は、冷凍倉庫に設置されることを特徴としている。  本発明に係る発熱パイプは、好ましくはアルミニウムパイプをベース材料として使用し、その表面に電気絶縁層としてムライト系セラミックスからなる第１溶射層と、この第１溶射層の上に電気伝導層として酸化チタンを主成分とする第２溶射層を積層形成し、更に必要に応じてこの第２溶射層の上に電気絶縁層である第３溶射層を積層形成して構成している。
【００２１】
第１溶射層（絶縁層）を構成する溶射層は、ムライト（３AL2 Ｏ3 ・２SiＯ2 ）を主成分とするのが好ましく、このセラミックスの融点は１８５０℃で共有結合性が高く、高純度で粒子径が１〜２μｍの微粉末から製造されたものである。微細な組織を持ち、高温強度と耐クリープ性に優れている。また、溶射によって金属パイプの表面に薄層を形成でき、５００℃以下、特に４５０℃以下で優れた電気絶縁性を有しており、安定なヒーター用絶縁層として使用することができる。
【００２２】
また、第２層を構成する酸化チタン（TiＯ2 ）は、融点が１８７０℃で電気伝導性を持っており、６００〜１０００℃の加熱温度範囲で多量の遠赤外線を放射できる特性を持っている。
【００２３】
本発明の発熱パイプのベース材料として使用する金属パイプは、鉄やステンレス製を使用できるが、好ましくは熱膨張率の大きな金属パイプ、特に、アルミニウムパイプを使用し、その表面に、少なくとも電気絶縁層と電気伝導層をセラミックス溶射によって二重に形成した点に特徴がある。
【００２４】
また、アルミニウムパイプなどの熱膨張率の大きな金属パイプの表面にセラミックス層を積層構造に形成し、温度変化による前記金属パイプの熱膨張により、このセラミックス層の伸縮でセラミックス層の電気的特性、特に温度上昇と共に抵抗を大きく上昇させ、それに対応してヒーター層を通過する電流を積極的に制限するように構成した点にも特徴がある。
【００２５】
本発明に係る発熱パイプは、その表面に少なくとも２層のセラミックス溶射層を形成した微細構造を持っており、高温で発熱させることが可能であるが、安定した特性を長時間発揮させるために、常用温度範囲を４５０℃以下とする。この温度範囲は、特に魚や肉を調理できる温度から冷凍庫の熱交換器の作動温度までの広い範囲をカバーするものである。
【００２６】
第１溶射層と第２溶射層の厚みについては制限がある。
【００２７】
即ち、耐熱性の電気絶縁層である第１溶射セラミックス層の厚さは７０μ〜２００μが適当である。この第２溶射層が７０μより薄いと絶縁性が低下し、漏電の危険性がある。また、２００μより厚いと金属パイプの熱膨張と共に微細な亀裂が発生してヒーターとしての機能劣化させる恐れがある。
【００２８】
電気伝導層（電気抵抗層）である第２溶射層の厚さは、２０μ〜１００μの範囲が好ましく、２０μより薄いと抵抗値が必要以上に高く、安定性に欠けている。また、１００μを超過すると温度変化に対応して変化する金属パイプの伸縮に追従することが困難となり、亀裂が発生して発熱量が不安定となり、最後には断線するからである。
【発明の効果】
【００２９】
アルミニウムパイプ等の膨張率の高い金属をベース材料とし、その表面に高温耐熱性と電気絶縁性のあるムライト（３Ａｌ2 Ｏ3 ・２ＳｉＯ2 ）の微粉末をプラズマ溶射して第１溶射層を形成する。
【００３０】
そしてこの第１溶射層の上に通電発熱する酸化チタン（ＴｉＯ2 ）からなる第２溶射層を形成する。更に、必要に応じてこの第２溶射層の上に第３溶射層として第１溶射層と同種の絶縁性のある溶射層を形成するのが好ましい。
【００３１】
従って、この第２溶射層をセラミックス電気抵抗ヒーターに形成することができ、これに通電して安定して発熱させることができる。この第１溶射層の厚さは７０〜２５０μ、第２溶射層の厚さは２０〜１００μの範囲で極く薄いセラミックス層を構成している。
【００３２】
この薄いセラミックス層が薄膜構造の電気ヒーターを構成しており、例えば、冷凍機の熱交換器の熱交換用パイプの表面にこの構造を採用すると、熱交換器内の通気空間を狭めることもなく、この熱交換用パイプを常時あるいは間歇的に良好に加熱して氷結を防止できる。
【００３３】
また、前記のような第２溶射層が電気抵抗発熱ヒーターとして作用して発熱することによって、ベース材料であるアルミニウムパイプが伸長し、その結果、その表面に形成されている絶縁層である第１溶射層と共に第２溶射層の電気抵抗発熱ヒーターが伸縮されてその抵抗が変化する。
【００３４】
この複合構造の溶射層を顕微鏡観察すると、セラミックス層を構成する粒状体同士が恰も「石垣状」に結合（配列）された構造になっている。そして前記アルミニウムパイプからなるベース材料が加熱されると大きく熱膨張し、この熱膨張と共に粒状体の石垣状の配列が僅かに変形する。その結果、ベース材料の温度上昇に追従して第２溶射層の電気抵抗値が大きく上昇することになる。  
【００３５】
この第２溶射層の温度変化に対応する電気抵抗値の大きな変化は、「正の抵抗係数」、即ち、ＰＴＣ特性を有していることを意味しており、この特性により電気抵抗ヒーターが所定の温度に加熱されると自動的に電流が制限され、それ以上の温度上昇を自動的に抑制する効果を発揮することができる。
【００３６】
このように電気抵抗ヒーター（発熱パイプ）自身が温度制御機能を有していることにより、温度センサーや温度フューズを省略でき、また、これを使用するとしても少数のもので安全性が図られるので極めて安価な加熱装置とすることができる。
【００３７】
本発明に係る発熱パイプの常用作動温度は４５０℃以下であり、実際の温度はその用途によって特定されるものである。例えば、この発熱パイプの中に魚を吊るして焼き調理する場合の温度は３００℃〜２５０℃程度である。
【００３８】
また、本発明に係る発熱パイプを冷凍機の熱交換器に適用した場合は、その発熱温度はパイプに付着した氷が十分に融解できる温度、あるいは氷結を防止できる温度である。そしてこの発熱パイプの発熱部にセラミックス層を使用することで発熱部を厚い塗装した程度で薄膜化することができる。そして従来の装置のようにパイプの表面に電熱ヒーターを巻き付けたり、沿わせたりする構造のように、熱交換用パイプが太ることがなく、通気性を阻害しない熱交換器の氷結防止用の電熱ヒーターにできる。
【００３９】
このように本発明に係る発熱パイプを熱交換器の放熱パイプに適用することにより、従来の冷凍倉庫で行わざるを得なかった冷凍機の運転方法、例えば、１２時間作動・１２時間停止するようなオン・オフ制御を行う必要は全くない。
【００４０】
従って、冷凍機を常時作動させて冷凍庫内を連続して冷却できるので、従来の冷凍庫の冷凍機の運転に比較すると、冷凍機を小型化することができる。
【発明を実施するための最良の形態】
【００４１】
先づ、本発明において適用した電気抵抗発熱体であるセラミックスヒーターに関する基礎的な知見について説明する。
【００４２】
例えば、サウナ装置のように比較的高温の発熱体より発生する放射エネルギーを人体の加熱などに使用できるように、ヒーターの放射面にセラミックス層をプラズマ溶射によって形成する方法が知られている。
【００４３】
この放熱面にセラミックス粉をプラズマ溶射して形成されたセラミックス層は、放射熱エネルギーを人体に吸収され易い波長に変換する性質があるので、優れた加熱装置を提供することができる。このセラミックス溶射層を顕微鏡で拡大して見るとセラミックス粒子の集合体であたかも石垣状に形成されている。
【００４４】
本発明者は、前記プラズマ溶射により形成されたセラミックス層の特徴、即ち、微粉体の石垣状の集合体である点に着目し、これを電熱ヒーターの特性を持たせることができないかどうかを検討した結果、本発明に到達したものである。
【００４５】
図１は、本発明の電気抵抗発熱体の基本構成を示すもので、他の金属よりも熱膨張率の大きなアルミニウム管２の表面にムライト（３Ａｌ2 Ｏ3 ・２ＳｉＯ2 ）の第１溶射層３をプラズマ溶射により１５０μの厚さに形成し、その上に７０μの厚さの酸化チタン（ＴｉＯ2 ）からなる第２溶射層４をプラズマ溶射により形成する。そしてこの第２溶射層４の両端の位置に環状の電極５、５ａを固定して完成した電熱ヒーター１の上半分を断面したものを示している。
【００４６】
また、図２は、図１に示した電熱ヒーター１の一部を顕微鏡的に拡大した断面図であるが、この第１溶射層３と第２溶射層４とを拡大してみると、各層ともにセラミックスの微細な粒子からなる石垣状の集合体である。
【００４７】
そして電気絶縁層である第１層の厚さは、約７０μ〜２５０μが好ましいが、この例においては１５０μの厚さを採用している。この厚さが７０μより薄いと発熱層である第２溶射層４とアルミニウム管２との距離が少なくなって、十分な電気絶縁性を得ることができない傾向がある。また、２００μより厚いと加熱・冷却を繰り返すことによって“ヒビ割れ”が発生して電気絶縁性が失なわれる可能性が大きい。
【００４８】
従って、第１溶射層３の厚さを前記範囲内のものを使用すると、通電によって発熱されてもヒビ割れや断層を発生することなく、安定して発熱させることができる。なお、第２溶射層４の厚さについては後述する。
【００４９】
この第２溶射層４（酸化チタン）に通電して発熱させると、次第にアルミニウム管２からなるベース材が加熱により熱膨脹し、このベース材料の膨脹はその表面に形成されている第１溶射層３と第２溶射層４が共に伸長することになる。
【００５０】
この現象について図３に温度変化に対応する電気抵抗の変化曲線の概念図を描いているが、例えば、この図３の温度１〜２の範囲は電気抵抗Ｒが３でほぼ一定しているが、温度Ｔが２〜３の間で急に上昇して電気抵抗Ｒが４〜６と大きく変化する。この抵抗Ｒが急激に上昇する特性は、前記した正の抵抗値変化であり、いわゆるＰＴＣ特性を持っていることを意味しており、この温度Ｔ／電気抵抗Ｒの変化は、ニクロム線などの特性とは全く異なる性質である。
【００５１】
また、図４は、アルミニウム管２の表面に形成されている発熱層である第２溶射層４の厚みと割れの関係の説明図である。各種の実験結果より、この第２溶射層４は２０μ〜１００μの範囲で、好ましくは５０μから７０μ程度の厚さがないと十分な発熱量を得ることができず、また、寿命も短い。
【００５２】
前記実験より理解できることは、アルミニウム管やアルミニウム板のような熱膨脹係数が鉄板やステンレス板に比較すると大きな金属材料をベース材料とし、その表面にプラズマ溶射によって少なくとも２層のセラミックス溶射層を形成し、この第２溶射層４を電気抵抗発熱体としているので、これに通電してベース材料の温度変化に伴なって、この第２溶射層に伸長作用を与える。その結果、第２溶射層が伸長して電気抵抗を変化させる特性があり、しかもこの電気抵抗の変化は、温度の上昇と共に上昇し、高温において急激に増加する性質、即ち、ＰＴＣ特性を持っていることが分かる。
【００５３】
１）（実施例１）円筒形発熱体
図１は、円筒形加熱体である電熱ヒーター１で、例えば、この電熱ヒーター１を立てた状態で、１本あるいは２本程度のサンマなどを焼くのに便利な小型の魚焼器用ヒーターとして利用できるものである。
【００５４】
この電熱ヒーター１には直径が１００ｍｍ、厚さが約３ｍｍ、長さが４５０ｍｍのアルミニウム管２を使用し、その外表面に第１溶射層３として耐熱性を持ち、電気絶縁性の大きな“ムライト”をプラズマ溶射して厚さが１５０μの第１溶射層３を形成する。そしてこの上に酸化チタンをプラズマ溶射して厚さが５０μの第２溶射層４を形成して電気抵抗加熱ヒーター１を形成した。
【００５５】
そして前記第２溶射層４の両端に、銅板をリング状に形成した電極５、５ａを、距離４００ｍｍをおいて固定した。そして必要に応じて第２溶射層４の上に前記第１溶射層３と同じ材料のセラミックス層をプラズマ溶射して絶縁層である第３溶射層６を形成しても良い。なお、この第３溶射層６は、従来の石綿などの耐熱性の断熱材からなる被覆に代えることができる。
【００５６】
前記円筒形の電熱ヒーター１は１００ボルトの電圧で消費電力は６７０Ｗであった。電極５，５ａの間に１００ボルトの電圧を印架して発熱させると、サンマ等の長い魚を焼き調理できる状態に発熱させることができた。
【００５７】
この焼き調理器は、アルミニウム管２の内面より放射される遠赤外線により魚を加熱するので、通常の魚焼器のように高温のガスに直接触れることがなく、また、表面だけ高温に加熱されるようなことはない。
【００５８】
なお、好ましい電熱ヒーター１の容量としては、１００Ｖの電圧で、１００Ｗ〜５００Ｗ／ｍになるように第２溶射層４を形成するプラズマ溶融条件を調整しておくことが好ましい。
【００５９】
このようにして製造された円筒形の電熱ヒーター１を立てた状態とし、その上端の開口から支持具を利用して中程度の大きさの１本のサンマを吊り下げる。そして天井の開口部に開口率を変更できる回転式のシャッター板（図示せず）を配置してこれによって排気量を調節しながら焼き調理した。
【００６０】
その結果、このサンマは約２０分で美味しく焼き調理することができた。そしてこのサンマは、円筒状の電熱ヒーター１の内周面の全面より放射する熱エネルギー（遠遠赤外線）による放射加熱であることから、全体的に均一に加熱でき、うま味が一段と増した焼き魚とすることができた。
【００６１】
この実施例における電熱ヒーター１は、ベース材料としてアルミニウム管２を使用した。このアルミニウム管２のその熱膨張率は、鉄の約２倍、チタンの約３倍と比較的大きいことから、その熱膨張の影響を受けて第２溶射層４、即ち、発熱ヒーターを形成している部分が膨張してこの第２溶射層４の電気抵抗が急激に増加することになる。そして、この熱膨張に伴なって、その温度以上の発熱が自動的に抑制され、温度制御が行なわれて安定して焼き調理をすることができる。
【００６２】
２）（実施例２）冷凍機の熱交換器
図５は冷凍倉庫に設置する冷凍機の熱交換器１０の概略図である。この熱交換器１０は支持体１１の間に熱交換（吸熱）用の配管１２を蛇行状に配置したものであり、端部１２ａは膨張弁１３を介して図示しない冷凍機に接続されている。この冷凍機で圧縮され、冷却液化された冷媒は前記膨脹弁１３を経由して膨脹し、急速に冷却状態となって前記配管１２の中に送り込まれて周囲の雰囲気（冷凍庫内の雰囲気）より吸熱して冷凍庫内を冷却する。
【００６３】
ところで、本発明においては、冷凍機の配管１２の一部に図１を参照して説明した電熱ヒーター１Ａを形成しており、図６に示すように、この電熱ヒーター１Ａの両端の電極５ｂ−５ｃの間に低圧（例えば、２０ボルトの低電圧の交流電源）の電源１５が接続されるようになっている。
【００６４】
周知のように、前記熱交換器１０は冷凍倉庫内において稼働して倉庫の内部を冷却するが、この冷却に伴なってその表面に食品などが発生した水分が付着し、低温に冷却されて氷結することになる。このようにして配管１２の表面に氷結が発生し、これが成長してくると、次第に冷却能力が低下し、遂には熱交換器１０の熱交換が不能となる。
【００６５】
そこで、この氷結発生の時期と成長速度を目視したり、稼働時間を見計らってチエックしたり、あるいは氷結センサーによって氷の成長程度を測定したデータにより、所定の通電による加熱サイクルを設定しておく。
【００６６】
そしてこの氷結による氷の厚さが許容範囲を越すと、タイマーＭによって通電回路が閉じられ、電熱ヒーター１Ａに一斉に、あるいは必要に応じて配分されたものに通電して発熱する。この発熱により配管１２の表面に付着していた氷は溶かされ、再びこの配管１２は熱交換に適した状態に復帰する。
【００６７】
この実施例における冷凍機に接続される熱交換器に、絶縁層である第１溶射層３と第２溶射層４と、更に絶縁層である第３溶射層の積層構造で形成された電熱ヒーター１Ａを有していることから、この配管１２に付着した氷の層を積極的に融解することができ、冷凍機の稼働率を大きく改善することができる。
【００６８】
この電熱ヒーター１Ａは、前記実施例１における電熱ヒーター１のＰＴＣ効果を大きく期待しているのではなく、配管１２の表面に直接に薄く発熱体を形成していることから、従来のように林立配置されている配管１２の間に、例えば、棒状ヒーターを挿入して加熱する方法を採用することはなく、また、配管の表面にヒーターケーブルを巻くようなこともないことから、配管１２の表面を太させることもなく、電熱ヒーターを付設することができる。
【００６９】
従って、従来の冷凍庫に設置されている熱交換器に比較して著しく稼働率を高めることができ、従来の冷凍機に比較して小型の装置を設置しても、十分な冷凍効果を期待できるのである。
【図面の簡単な説明】
【００７０】
【図１】円筒形電熱ヒーターの上半分を断面した正面図である。
【図２】図１のパイプの表面に形成した溶射層の拡大説明図である。
【図３】溶射層の温度に対応する電気抵抗変化の概念図である。
【図４】溶射層の厚さと割れとの関係の説明図である。
【図５】冷凍機より熱交換器の配管の正面図である。
【図６】電熱ヒーターを設けた配管の正面図である。
【符号の説明】
【００７１】
１、１Ａ    円筒形加熱体
２  アルミニウム管
３  第１溶射層（絶縁層）
４  第２溶射層（電気抵抗発熱層）
５、５ａ、５ｂ、５ｃ  電極
６  第３溶射層（絶縁層）
８  抵抗体
１１  支持体
１２  膨張弁
【図１】
2005322594.tif 000003
【図２】
2005322594.tif 000004
【図３】
2005322594.tif 000005
【図４】
2005322594.tif 000006
【図５】
2005322594.tif 000007
【図６】
2005322594.tif 000008